(57)【要約】【課題】温湯槽に前記浸漬カゴを入れて種籾を温湯消毒する場合に、厳格な温度管理が必要であり、特に湯温の低下を防止すること。【解決手段】種籾温湯消毒装置において、浸漬カゴ１２に種籾を投入し、消毒槽４０内の前記浸漬カゴ１２の種籾を温湯消毒する場合に、消毒槽４０の上部に開閉蓋６０を設けて、開閉蓋６０を必要に応じて開放し、通常は閉鎖しておくことにより、消毒槽内の温湯の放熱を防止出来、消毒槽４０の温度管理が容易になる。 前記開閉蓋６０はモーター６４駆動による開閉を使用すると良い。【選択図】      図４
2005328723.tif 000002
【特許請求の範囲】
【請求項１】
浸漬カゴ１２に種籾を投入し、消毒槽４０で前記浸漬カゴ１２内の種籾を温湯消毒する時に、消毒槽４０の上部に開閉蓋６０を設けて、消毒槽内の温湯の放熱を防止したことを特徴とする種籾温湯消毒装置
【請求項２】
消毒槽４０の上部に設けた開閉蓋６０はモーター６４駆動による開閉を利用した請求項１記載の種籾温湯消毒装置
【発明の詳細な説明】
【技術分野】
【０００１】
本発明は、種籾の催芽促進に関する湯温による消毒を利用した種籾湯温消毒装置に関するものである。
【背景技術】
【０００２】
従来より、水稲種子等について、先ず種籾の塩水選が行われていた。即ち、充実した種籾のみを得るために塩水に籾を浸け、沈んだ籾だけを種籾に使用する。そして塩水選後は十分に水洗し、塩分を落とす。
その後、種子消毒を行う。ばか苗病・いもち病・籾枯れ細菌病・イネシンガレセンチュウなどの防除の為である。薬剤としては、スミチオン乳剤を使用する。
そして、消毒後は薬剤が落ちないように、水洗いせずに風乾する。
最後に、浸種を行う。即ち、種籾を均一にハト胸状態になるまで、時々水を交換しながら、水に浸ける。発芽しにくい品種は積算温度１００度・日（例えば１５度で７日）程度行う。
【特許文献１】実公平７−１９２０５  このような方法を利用したものとして、実公平７−１９２０５があげられる。この考案は，水を張って籾袋を収容する催芽槽と、モータによって駆動され、この催芽槽から水を吸引する揚水ポンプと、この揚水ポンプからの水を導く揚水パイプと、水を加熱するヒータと、水の温度を検出する温度センサと、催芽槽の水位を検知する水位センサと、前記揚水を空中に飛散させて前記催芽槽の水面上に散布する揚水飛散手段とを備えた催芽装置であり、種籾の催芽のためにする消毒、冷水浸漬、温水浸漬の各工程を、一つの槽で行うものであるが、適切に選定された適量の消毒用薬剤を供給している。
【０００３】
上記考案は、種籾の消毒を農薬を用いて行うから、消毒作業に要する時間が長く、かつ消毒費用を容易に低減し得ない等の問題があり、又無農薬が叫ばれている今日農薬の使用は極力避けるのが消費者ニーズに合致する。そこで、特願２００３−２０６６８６の発明は薬剤を用いず、種籾の消毒を温湯を用いて行う技術を使用した発明であり、種籾コンテナとして利用可能な堅型の浸漬カゴに種籾を入れ、温湯槽に前記浸漬カゴを入れて種籾を温湯消毒するものである。
【発明の開示】
【発明が解決しようとする課題】
【０００４】
温湯槽に前記浸漬カゴを投入して種籾を温湯消毒する場合に、消毒をする条件が厳格に設定しないと、高確率の催芽を実現出来ない。即ち消毒槽４０の湯水温度は、約６０度の適正湯温で約１０分間が必要となる。
しかしながら、消毒槽の上方からの放熱は無視できないのであり、前述した適正な湯温管理の重要な課題であった。
【課題を解決するための手段】
【０００５】
本発明は、上記に鑑みてなされたもので、請求項１の発明は、種籾温湯消毒装置について、浸漬カゴ１２に種籾を投入し、消毒槽４０で前記浸漬カゴ１２内の種籾を温湯消毒する時に、消毒槽の上部に蓋を設けて、消毒槽内の温湯の放熱を防止した装置を提供するものである。
又、請求項２の発明は、種籾温湯消毒装置の消毒槽の上部に設けた蓋をモーター駆動により開閉したものである。
【発明の効果】
【０００６】
請求項１記載の発明によれば、消毒槽の上部に蓋を設けたので、消毒槽内の温湯の放熱を防止出来、消毒槽内の温度管理にロスがない。又所望の温度条件、加温時間の管理が容易である。
請求項２記載の発明によれば、種籾温湯消毒装置の消毒槽の上部に設けた蓋をモーター駆動による開閉したので、必要時だけ開閉蓋を解放する等の効率的な消毒槽上部の蓋の開閉が可能となり、放熱が効果的に防止できる。
【発明を実施するための最良の形態】
【０００７】
以下、本発明の実施の形態を図面に基づいて説明する。図１は全体の作業説明した模式図である。
建屋内部の床面に柱を立設してレール２を架設する。電動走行モータ４を有する自走クレーン６をレール２に設け、電動昇降モータ８によって昇降させるクレーンフック１０を自走クレーン６に設ける。
自走クレーン６は、浸漬カゴ１２を、順次予備浸漬槽３０、消毒槽４０、冷却槽８０、水切り台８８、台車９６に搬送する。
【０００８】
浸漬カゴ１２の一実施例は図２に示す通りである。即ち、浸漬カゴ１２は、ステンレス棒製の四角枠型の箱フレーム１３に合成樹脂製網１４を張設させた網製矩形箱によって形成されている。両端部にステンレス棒製の三角形の吊下げフック１６を設ける２本の布ベルト１７の中間を浸漬カゴ１２の対向する側面に縫付け固定させると共に、浸漬カゴ１２上面の長辺側の両側縁に設ける２本のファスナー１８と、浸漬カゴ１２上面の短辺側の一側縁を織布ファスナー１９によって側面に着脱自在に係止させている。
浸漬カゴ１２上面に開閉自在な上面蓋２０を設ける。また、前記と同様に、浸漬カゴ１２下面の長辺側の両側縁に設ける２本のファスナー２１と、浸漬カゴ１２下面の短辺側の一側線を織布ファスナー２２によって側面に着脱自在に係止させ、浸漬カゴ１２下面に開閉自在な下面蓋２３を設ける。
【０００９】
次に本発明の全体の作業について詳述する。
（予備浸漬槽）
先ず、種籾を塩水選して約１５パーセントの水分に乾かした後、従来の籾袋２袋分（約４０キログラム）の種籾を上面蓋２０の開閉によって浸漬カゴ１２内部に投入し、浸漬カゴ１２の容積の約７０パーセントの種籾を収納させる。収納後、浸漬カゴ１２を吊下げフック１６とロープ２４によってクレーンフック１０に吊下げ、先ず、予備浸漬槽３０に、浸漬カゴ１２を浸漬する。
【００１０】
（消毒槽）
次に、図１、図３に示すように、消毒槽４０内部に浸漬カゴ１２を宙吊り状態に支持し、一定温度（約６０度）の湯水を給湯機４２から送給しながら温湯ポンプ４４によって消毒槽４０に循環させるもので、消毒槽４０に湯水を送給させる給湯管４６に複数の給湯ノズル４８を設け、浸漬カゴ１２の側面に各ノズル４８を対設させ、浸漬カゴ１２内部の種籾に均等に湯水が当って均一に消毒されるように各ノズル４８の水量及び水圧を設定し、例えば下方の種籾に対して水量を多くしかつ水圧を高くして水流を強くし、略一定時間（約１０分間）で全体の種籾を均一に消毒するように構成する。
【００１１】
また、浸漬カゴ１２に入れる種籾の量を従来の籾袋２袋分（約４０キログラム）に限定することにより、浸漬カゴ１２の残空間部が湯水流による種籾の移動スペースとなり、偏りがなく均一に湯水流が種籾に当って均一に消毒を行え、種籾の入れすぎによる消毒不良を防止する。
【００１２】
上記から明らかなように、種籾コンテナとして利用可能な堅型の浸漬カゴ１２に種籾を入れ、消毒槽４０に浸漬カゴ１２を投入して種籾を温湯消毒するもので、種籾コンテナとして利用する浸漬カゴ１２を用いて種籾の温湯消毒を行う。
これにより、従来の籾袋単位に比べて多量の種籾を浸漬カゴ１２に入れて温湯消毒作業を行うことが可能となった。又消毒処理の省力化並びに連続作業による作業能率の向上などを図ることが出来る。
更に、浸漬カゴ１２を網製矩形箱によって形成し、種籾を投入及び取出すための開閉部である上面蓋２０及び下面蓋２３と、吊下げるフック１６とを、浸漬カゴ１２に設けたので、温湯消毒のときに湯水流によって種籾が移動可能なスペースを確保出来、種籾の均一消毒または１回当りに消毒可能な種籾の増量または温湯消毒の湯水温度の維持などを行うことが出来る。
【００１３】
さらに、図３に示すように、消毒槽４０には、給湯機４２が付設されているが、給湯機４２内は、ヒーター５０と温湯ポンプ４４で構成され、これらの制御は、消毒コントローラ５２が行っており、消毒槽４０内の温度センサー５４等の情報を元に温度管理を行っている。消毒コントローラ５２は又、消毒槽上部に設けられた開閉蓋６０（図４参照）の開閉の制御も行っている。
即ち、消毒コントローラ５２は、消毒槽４０の湯水温度が約６０度の適正湯温のとき、浸漬カゴ１２が消毒槽４０内部に自動的に下降する。この際前述した開閉蓋６０が自動的に開く。そして、消毒槽４０で温湯ポンプ４４が作動して種籾を温湯消毒する動作が行われる。
その後、一定時間（約１０分間、任意に設定可能）が経過すると、走行及び昇降モータ４、８の自動制御及び開閉蓋６０の開閉制御により、消毒槽４０の浸漬カゴ１２を冷水槽８０に自動的に移動させる。
なお、この消毒コントローラ５２は、消毒槽４０内の管理だけではなく、本発明の種籾温湯消毒装置全体の制御を行っている。
【００１４】
即ち、消毒コントローラ５２は、走行モータ４を正逆転させて自走クレーン６を往復走行させる走行操作や、昇降モータ８を正逆転させてクレーンフック１０を昇降させる昇降操作や、消毒槽４０内で種籾を自動的に温湯消毒する自動制御動作を開始させるスタートスイッチ操作や、消毒槽４０の湯水温度を検出する温度センサ５４による給湯機４２内のヒーター５０の制御、温湯ポンプ２５の送湯制御や、前述した消毒作業開始時、終了時の自走クレーン６の昇降操作とリンクした開閉蓋６０の開閉操作や、同様に、予備浸漬槽３０内での開閉蓋６０の開閉操作と自走クレーン６の昇降操作や、冷水槽８０に入れる冷水を循環させる冷水ポンプ（図示せず）の制御、種籾の冷水での浸漬時間の制御（一定時間）、更には浸漬カゴ１２の冷水槽から、水切り台への移動制御や、更には台車９６への移動制御等を行っている。
【００１５】
（開閉蓋）
次に予備浸漬槽３０、消毒槽４０に設けられる開閉蓋６０について説明する。図４は、消毒槽４０（予備浸漬槽３０）の上部に開閉蓋６０を設けたもので、左右に遊嵌した回転自在のローラ６１ａ、６１ｂが設けられ、開閉蓋６０は、浸漬カゴ１２を吊下げた自走クレーン６の走行モータ４による走行動作及び所定位置における昇降モータ８による昇降操作にリンクして所定の機構により開閉動作することが可能である。開閉蓋６０は、多数の横長の板状の部材で構成されており、コーナーで折り曲げ自在である。
開閉蓋６０は自動で開閉する開閉蓋とすると好適である。
【００１６】
図５は、開閉蓋６０の開閉動作を示したものである。開閉を自動にすると好適である。以下は開閉を自動にした状態の説明である。（Ａ）では浸漬カゴ１２を吊下げた自走クレーン６が、前工程から消毒槽４０（予備浸漬槽３０）の上部に移動した状態を示している。この時、浸漬カゴ１２はロープ２４によってクレーンフック１０に吊下げられている。そして、消毒槽４０（予備浸漬槽３０）の自動開閉扉は閉鎖されている。消毒槽４０の場合であるが、消毒コントローラ５２により、消毒槽４０の湯水温度が約６０度の適正湯温のとき、浸漬カゴ１２が消毒槽４０内部に自動的に下降する。この際前述した開閉蓋６０が自動的に開く。予備浸漬槽３０についても湯水温度を管理している時は同様の動作となる。（Ｂ）は、浸漬カゴ１２が消毒槽４０（予備浸漬槽３０）に収容される時の状態を示しており、開閉蓋６０は開放されている。（Ｃ）は、消毒槽４０で温湯ポンプ４４が作動して種籾を温湯消毒する状態であり、開閉蓋６０は閉鎖されている。
その後、一定時間（約１０分間、任意に設定可能）が経過すると、走行及び昇降モータ４、８の自動制御及び開閉蓋６０の開閉制御により、再び開閉蓋６０が開放され、浸漬カゴ１２が次の工程（予備浸漬槽３０の場合は、消毒槽４０、消毒槽４０の場合は冷却槽８０）に移行し、再び開閉蓋６０が閉鎖される。
【００１７】
このように、開閉蓋６０が必要に応じて開放され、通常は閉鎖しておくことにより、消毒槽４０の温度管理が容易になる。即ち、消毒槽４０の湯水温度が約６０度の適正湯温が不可欠であり、約６０度は、常温よりも高いので、開閉蓋６０が外気に開放されている時は、消毒槽４０の温湯は確実に放熱する。従って開閉蓋６０を必要に応じて開放し、通常時は閉鎖しておくことは、消毒槽４０の温湯の放熱を防止できる。
なお、消毒槽４０には、図４に示すように、断熱材４１が内側に設けられており、ここでも消毒槽４０の温湯の放熱を防止している。
以上の構成は、予備浸漬槽３０にも、設けられている。
【００１８】
図６、図７、図８、図９は、開閉蓋６０の開閉機構を説明する実施例である。図６は、チェーン６２のみを使用した実施例であり、正逆転モーター６４は、開閉蓋６０の一方端に設けられ、その駆動力をチェーン６２で伝達している。消毒槽４０上部には、チェーン６２がモーター６４よりスプロケット６６ａの上方、スプロケット６６ｂの下方、消毒槽４０上部の他方端のスプロケット６６ｃを通り、スプロケット６６ｂの上方、消毒槽４０上部の一方端のスプロケット６６ｄを通過して、モーター６４に戻るように巻回している。
６８ａは、チェーン６２と開閉蓋６０ａを接続する連結部材であり、６８ｂは、チェーン６２と開閉蓋６０ｂを接続する連結部材であり、共に開閉蓋６０を開閉するための部材である。
この構成により、チェーンが図面上右周りに回動すると開閉蓋６０は開放され、チェーンが図面上左周りに回動すると開閉蓋６０は閉鎖するように動作する。
なお、６３ａ、６３ｂは、開閉蓋６０ａ、６０ｂが左右に移動するためのガイドである。
又、図６には図４のローラ６１ａ、６１ｂは図示されていないが、スプロケット６６ｃ、６６ｄと同軸に設けると良いし、別体で設けても良い。
【００１９】
図７は、左右に巻回するチェーンが設けられ、中央は歯車接続している実施例である。モーター６４より、チェーン６３を介して、スプロケット６６ｂに軸支されたスプロケット６６ｂｓを経由して駆動力が伝えられ、スプロケット６６ｂは、スプロケット６６ａとチェーン６２ａにより接続されている。スプロケット６６ｂとスプロケット６６ｃとは、スプロケット６６ｂと同軸で軸支されている歯車７０ａ及びスプロケット６６ｃと同軸で軸支されている歯車７０ｂにより駆動力が伝達される。又スプロケット６６ｃは、スプロケット６６ｄとチェーン６２ｂにより接続されている。又、６８ａは、チェーン６２と開閉蓋６０ａを接続する連結部材であり、６８ｂは、チェーン６２と開閉蓋６０ｂを接続する連結部材であり、共に開閉蓋６０を開閉するための部材である。
この構成により、チェーン６２ａが図面上右周りに回動すると、チェーン６２ｂが図面上左周りに回動し、開閉蓋６０は開放される。又チェーン６２ａが図面上左周りに回動すると、チェーン６２ｂが図面上右周りに回動し、開閉蓋６０は閉鎖するように動作する。
又６９ａ、６９ｂは、開閉蓋６０ａ、６０ｂの巻き上げロールである。図７に示すように、スプロケット６６ａ、スプロケット６６ｄの駆動力を巻き上げロールに対してチェーンで伝達すると好適である。
【００２０】
図８は、アームによる回動を利用して、開閉蓋６０を開閉するものである。モータ６４からチェーン７４ｂにより回転軸７２ｂのスプロケット７３ｃに駆動力が伝えられ、回転軸７２ｂのスプロケット７３ｂと回転軸７２ａのスプロケット７３ａは、チェーン７４ａにより８の字に掛け回して、駆動力を伝達している。回転軸７２ａの中心軸にアーム７５ａが軸支されており、アーム７５ａの他端は、開閉蓋６０ａとピン７６ａにより連結している。
又回転軸７２ｂの中心軸にアーム７５ｂが軸支されており、アーム７５ｂの他端は、開閉蓋６０ｂとピン７６ｂにより連結している。なお、７７ａ、７７ｂは、開閉蓋６０ａ、開閉蓋６０ｂを移動させるためのローラーである。また、７８ａ、７８ｂは、弾性パッキングである。
又、開閉蓋６０ａ、開閉蓋６０ｂは一枚板状になっているが、外折れせず、中折れする多数の細板板状の部材を使用すれば（図６参照）、開閉蓋６０ａ、開閉蓋６０ｂが、ローラー７７ａ、７７ｂから外方に出た部分は、垂直に落下することが可能であり、一枚板状のものに比較してスペースを取らない。
図９は、アーム７５ａが図面上時計周りに、アーム７５ｂが反時計周りに回動した状態を示したものである。この状態では開閉蓋６０が開放されており、浸漬カゴ１２が消毒槽４０（予備浸漬槽３０）内部に下降した状態を示している。
【００２１】
（冷却槽）
図１に示すように浸漬カゴ１２は消毒槽４０で一定時間一定温度で浸漬された後、開閉蓋６０が開放され、浸漬カゴ１２が冷却槽８０に移動する。冷却槽８０では冷水ポンプ（図示せず）を作動させて種籾を急速冷却させ、種籾の冷却に必要な一定時間（任意に設定可能）が経過すると、浸漬カゴ１２は冷水槽８０から水切り台８８に移動する。浸漬カゴ１２は水切りがなされると、台車９６に移動する。
【００２２】
このように、消毒槽４０で浸種・催芽された種籾は浸漬カゴ１２に入れた状態で台車９６上のコンテナ９８に、浸漬カゴ１２の下面蓋２３を開放することにより、種籾を積込む。
そして、台車９６により、種籾は発芽室に移動して種籾が発芽した後、播種機に入れて育苗箱に播種し、育苗する。
なお、冷水槽８０で冷却した種籾を乾燥させた後で消毒槽３０に入れて催芽してもよい。
【００２３】
本発明は以上の実施例に限定されない。又本発明の目的に反しない限り、以上  の各実施例を結合して実施しても良い。
又、開閉蓋６０の実施例は、上記と異なり片開きのものでも良い。
【図面の簡単な説明】
【００２４】
【図１】本件発明の全体の作業説明した模式図
【図２】浸漬カゴ１２の一例を示した斜視図
【図３】消毒槽４０の断面図
【図４】予備浸漬槽３０及び消毒槽４０の蓋を設けた模式図
【図５】図４の蓋を使用して、浸漬カゴ１２を浸漬又は消毒した状態を示す説明図
【図６】予備浸漬槽３０及び消毒槽４０の蓋に自動の開閉蓋を適用した実施例の説明図
【図７】図６と異なり左右の蓋の移動をチェーン２本を使用した他の実施例の説明図
【図８】自動の開閉蓋６０にアームを使用した実施例の説明図
【図９】図８の開放した状態の説明図
【符号の説明】
【００２５】
６  自走クレーン
１２  浸漬カゴ
３０  予備浸漬槽
４０  消毒槽
６０  蓋
６０ａ、６０ｂ  開閉蓋
６４  モーター
８０  冷却槽
８８  水切り台
９６  台車
【図１】
2005328723.tif 000003
【図２】
2005328723.tif 000004
【図３】
2005328723.tif 000005
【図４】
2005328723.tif 000006
【図５】
2005328723.tif 000007
【図６】
2005328723.tif 000008
【図７】
2005328723.tif 000009
【図８】
2005328723.tif 000010
【図９】
2005328723.tif 000011